(57)【要約】【課題】  非力な奏者でも簡単かつ確実に操作できるようにしたカポタストを提供する。【解決手段】  弦楽器のネック（Ｇ）上に固定するためのカポタスト（１０）であって、ネックを挟持可能な第１アーム部材（１２）及び第２アーム部材（１４）と、第１アーム部材及び第２アーム部材の少なくとも一方に設けられた楽器受け部（２６）と、第１アーム部材及び第２アーム部材によりネックを挟持された場合に、楽器受け部をネック側に押圧するアクチュエータユニット（５４）とを備える。【選択図】  図１
2020190598.tif 000002
【特許請求の範囲】
【請求項１】
弦楽器のネック上に固定するためのカポタストであって、
前記ネックを挟持可能な第１アーム部材及び第２アーム部材と、
前記第１アーム部材及び前記第２アーム部材の少なくとも一方に設けられた楽器受け部と、
前記第１アーム部材及び前記第２アーム部材により前記ネックを挟持された場合に、前記楽器受け部を前記ネック側に押圧するアクチュエータユニットと、
を備えるカポタスト。
【請求項２】
前記第１アーム部材に対して前記第２アーム部材が開く開方向の移動を規制した状態と、前記移動を許容した状態とを選択的に切り替える切替手段をさらに備える、請求項１記載のカポタスト。
【請求項３】
前記第２アーム部材は、前記第１アーム部材に対して回動可能に取り付けられており、
前記切替手段は、前記第１アーム部材に対して前記第２アーム部材が開く開方向の回転を規制し、前記第１アーム部材に対して前記第２アーム部材が閉じる閉方向の回転を許容するラチェット機構を含む、請求項２記載のカポタスト。
【請求項４】
前記アクチュエータユニットへの電力の供給のオンとオフとを切り替えるスイッチであって、前記第１アーム部材及び前記第２アーム部材により前記ネックを挟み込んだ状態で、前記第１アーム部材及び前記第２アーム部材がさらに閉じられた場合にオンになるスイッチをさらに備える、請求項１から３のいずれか１項記載のカポタスト。
【請求項５】
前記アクチュエータユニットは、モーターによる回転運動を直線運動に変換して、前記楽器受け部を前記ネックに押し付ける電動アクチュエータを含む、請求項１から４のいずれか１項記載のカポタスト。
【請求項６】
前記アクチュエータユニットは、流体の圧力による運動を直線運動に変換して、前記楽器受け部を前記ネックに押し付ける流体アクチュエータを含む、請求項１から４のいずれか１項記載のカポタスト。
【発明の詳細な説明】
【技術分野】
【０００１】
本発明は、ギター等の弦楽器の演奏時に音程調整のために使われる用品であるカポタストに関するものである。
【背景技術】
【０００２】
カポタストは、ギター等の弦楽器の全ての弦を所望の位置を全て押さえるために使用されるものである。弦楽器で歌の伴奏を行う場合、曲や歌手の音域に合わせてカポタストが押さえる位置を変更するが、ステージ上で曲の間等に音を立てずにすばやく操作する必要がある。
【０００３】
従来のカポタストには、例えば、バネの力を利用して弦楽器のネックを挟んで全ての弦を押さえるタイプのものがある。また、他のタイプのものとして、握力でカポタストを締め込んで摩擦力で保持するもの（例えば、特許文献１参照）や、梃子を利用したもの（例えば、特許文献２、３参照）が知られている。
【先行技術文献】
【特許文献】
【０００４】
【特許文献１】国際公開第２００９／１１５４６１号
【特許文献２】国際公開第９８／４９６６９号
【特許文献３】特開２０１０−１４５９９８号公報
【発明の概要】
【発明が解決しようとする課題】
【０００５】
しかしながら、バネや摩擦で保持するタイプのカポタストは取り付けるときに強い握力が必要である。特に非力な奏者の場合、演奏の合間等にすばやく操作することは困難である。また、梃子を利用するタイプのものでは操作は軽いが、事前に弦楽器に合わせて調整が必要であり、複数の弦楽器に一度に対応するのは困難である。
【０００６】
本発明は、このような事情に鑑みてなされたもので、非力な奏者でも簡単かつ確実に操作できるようにしたカポタストを提供することを目的とする。
【課題を解決するための手段】
【０００７】
上記課題を解決するために、本発明の第１の態様に係るカポタストは、弦楽器のネック上に固定するためのカポタストであって、ネックを挟持可能な第１アーム部材及び第２アーム部材と、第１アーム部材及び第２アーム部材の少なくとも一方に設けられた楽器受け部と、第１アーム部材及び第２アーム部材によりネックを挟持された場合に、楽器受け部をネック側に押圧するアクチュエータユニットとを備える。
【０００８】
本発明の第２の態様に係るカポタストは、第１の態様において、第１アーム部材に対して第２アーム部材が開く開方向の移動を規制した状態と、移動を許容した状態とを選択的に切り替える切替手段をさらに備える。
【０００９】
本発明の第３の態様に係るカポタストは、第２の態様において、第２アーム部材は、第１アーム部材に対して回動可能に取り付けられており、切替手段は、第１アーム部材に対して第２アーム部材が開く開方向の回転を規制し、第１アーム部材に対して第２アーム部材が閉じる閉方向の回転を許容するラチェット機構を含む。
【００１０】
本発明の第４の態様に係るカポタストは、第１から第３の態様のいずれかにおいて、アクチュエータユニットへの電力の供給のオンとオフとを切り替えるスイッチであって、第１アーム部材及び第２アーム部材によりネックを挟み込んだ状態で、第１アーム部材及び第２アーム部材がさらに閉じられた場合にオンになるスイッチをさらに備える。
【００１１】
本発明の第５の態様に係るカポタストは、第１から第４の態様のいずれかにおいて、アクチュエータユニットは、モーターによる回転運動を直線運動に変換して、楽器受け部をアームに押し付ける電動アクチュエータを含む。
【００１２】
本発明の第６の態様に係るカポタストは、第１から第４の態様のいずれかにおいて、アクチュエータユニットは、流体の圧力による運動を直線運動に変換して、楽器受け部をアームに押し付ける流体アクチュエータを含む。
【発明の効果】
【００１３】
本発明によれば、第１アーム部材と第２アーム部材の相対位置を固定した後に、スライド機構を用いて、弦楽器のネックに楽器受け部を押し付けることができる。これにより、非力な奏者でも簡単かつ確実に、弦楽器のネックにカポタストを固定することができる。
【図面の簡単な説明】
【００１４】
【図１】図１は、本発明の第１の実施形態に係るカポタストを示す側面図である（開状態）。
【図２】図２は、本発明の第１の実施形態に係るカポタストを示す側面図である（閉状態）。
【図３】図３は、本発明の第１の実施形態に係るカポタストを示す側面図である（固定状態）。
【図４】図４は、アクチュエータユニットの第１の例を示すブロック図である。
【図５】図５は、アクチュエータユニットの第２の例を示すブロック図である。
【図６】図６は、本発明の第２の実施形態に係るカポタストにおける楽器受け部のスライド機構を示す平面図である（閉状態）。
【図７】図７は、本発明の第２の実施形態に係るカポタストにおける楽器受け部のスライド機構を示す平面図である（固定状態）。
【図８】図８は、楽器受け部のスライド機構の第１の変形例を示す平面図である（閉状態）。
【図９】図９は、楽器受け部のスライド機構の第１の変形例を示す平面図である（固定状態）。
【図１０】図１０は、楽器受け部のスライド機構の第２の変形例を示す平面図である（閉状態）。
【図１１】図１１は、楽器受け部のスライド機構の第２の変形例を示す平面図である（固定状態）。
【図１２】図１２は、本発明の第３の実施形態に係るカポタストにおける楽器受け部のスライド機構を示す平面図（一部断面図）である（閉状態）。
【図１３】図１３は、本発明の第３の実施形態に係るカポタストにおける楽器受け部のスライド機構を示す平面図（一部断面図）である（固定状態）。
【図１４】図１４は、本発明の第４の実施形態に係るカポタストを示す側面図である（開状態）。
【発明を実施するための形態】
【００１５】
以下、添付図面に従って本発明に係るカポタストの実施の形態について説明する。
【００１６】
［第１の実施形態］
図１から図３は、本発明の第１の実施形態に係るカポタストを示す側面図である。以下の説明では、便宜上ＸＹＺ３次元直交座標系を用いる。なお、図１を開状態、図２を閉状態、図３を固定状態とする。
【００１７】
図１から図３に示すように、本実施形態に係るカポタスト１０は、弦楽器のネックＧを挟持可能な一対のアーム部材として、第１アーム部材１２及び第２アーム部材１４を備えている。
【００１８】
第１アーム部材１２は、楽器受け部２６を備えている。楽器受け部２６は、第１アーム部材１２に対して、図中左右方向（±Ｚ方向）にスライド可能となっている。
【００１９】
弦楽器のネックＧを挟持するときには、楽器受け部２６の受け面２６Ａは、ネックＧの表面（弦が配置される側の面）Ｇ１に当接する。一方、第２アーム部材１４の受け面１４Ａは、ネックＧの裏面（弦が配置される側とは反対側の面）Ｇ２に当接する。受け面２６Ａ及び１４Ａは、例えば、金属製又は樹脂製等であり、それぞれネックＧの表面Ｇ１及び裏面Ｇ２の形状に倣う形状（例えば、凹状）に形成されていてもよい。なお、受け面２６Ａ及び１４Ａは、例えば、挟持するネックＧ又は弦の種類又は材質もしくは経時劣化等に応じて交換可能となっていてもよい。
【００２０】
第２アーム部材１４は、軸１６を介して第１アーム部材１２に対して回動可能に取り付けられている。軸１６には、ねじりコイルばね１８が取り付けられている。第２アーム部材１４は、ねじりコイルばね１８によって第１アーム部材１２に対して離れる方向（図中の時計回り方向）に付勢される。
【００２１】
第２アーム部材１４の軸１６の周りの面は、軸１６を中心とする略円柱面状に形成されている。第２アーム部材１４の軸１６の周りの面の一部領域には、複数の回転止め溝１４Ｂが形成されている。
【００２２】
第１アーム部材１２には、解除レバー２０が取り付けられている。解除レバー２０は、第１アーム部材１２に取り付けられた軸２２の周りに回動可能となっている。軸２２には、ねじりコイルばね２４が取り付けられている。ねじりコイルばね２４は、解除レバー２０を図中の反時計回り方向に付勢する。
【００２３】
解除レバー２０の下端には、回転止め溝１４Ｂと係合する突起部２０Ａが形成されている。突起部２０Ａと回転止め溝１４Ｂとは、軸１６を回転中心として、第１アーム部材１２に対する第２アーム部材１４の一方向への回転を許容し、逆方向への回転を不能にするラチェット機構を構成する。具体的には、突起部２０Ａと回転止め溝１４Ｂとが係合している場合には、第１アーム部材１２に対して第２アーム部材１４が開く方向（図中の時計回り方向。以下、「開方向」という。）の第２アーム部材１４の回転が規制され、かつ、第１アーム部材１２に対して第２アーム部材１４が閉じる方向（図中の反時計回り方向。以下、「閉方向」という。）の第２アーム部材１４の回転が許容される。一方、解除レバー２０が操作されて、突起部２０Ａと回転止め溝１４Ｂとの係合が解除されると、第２アーム部材１４は、第１アーム部材１２に対して第２アーム部材１４が開く方向の回転が可能になる。この場合、第１アーム部材１２又は第２アーム部材１４に対する操作をすることなく、ねじりコイルばね１８による開方向への付勢力により、第１アーム部材１２に対して第２アーム部材１４が開く。
【００２４】
したがって、ネックＧにカポタスト１０を取りつけるときには、奏者は、突起部２０Ａと回転止め溝１４Ｂとが係合した状態のまま（解除レバー２０を操作することなく）、第２アーム部材１４を第１アーム部材１２に閉じる方向（閉方向）に押さえる。すると、突起部２０Ａ及び回転止め溝１４Ｂからなるラチェット機構により、第２アーム部材１４が段階的に閉じていき、図２の閉状態になる。この際、第１アーム部材１２に対して第２アーム部材１４が開く方向への回転は規制されているので、円滑に操作を行うことができる。これにより、第１アーム部材１２と第２アーム部材１４との間に弦楽器のネックＧを挟み込むことができる。
【００２５】
ネックＧからカポタスト１０を取り外すときには、奏者は、解除レバー２０を指等により操作して（図中の時計回りに引っ張る）、突起部２０Ａと回転止め溝１４Ｂとの係合を解除する。すると、ねじりコイルばね１８による開方向への付勢力により、第１アーム部材１２と第２アーム部材１４とが開状態になる（図１参照）。その後、奏者は、解除レバー２０から指を離すと、突起部２０Ａと回転止め溝１４Ｂとが係合し、第１アーム部材１２及び第２アーム部材１４の相対位置（角度）が開状態で維持される。
【００２６】
バッテリー５０は、アクチュエータユニット５４の動力源（例えば、モーター又はポンプ等。図４及び図５参照）に駆動電力を供給する。バッテリー５０は、一次電池又は二次電池を用いることができる。
【００２７】
スイッチ５２は、バッテリー５０からアクチュエータユニット５４の動力源への駆動電力の供給のオンとオフとを切り替える。スイッチ５２は、押しボタン型のスイッチであり、そのボタン部分が、楽器受け部２６の裏面に形成された突起部２６Ｂに対向するように配置されている。図２に示すように、弦楽器のネックＧが楽器受け部２６の受け面２６Ａに当接し、楽器受け部２６が図中右側（−Ｚ方向）に押し込まれてスイッチ５２のボタンが押されると、スイッチ５２がオンになる。これにより、バッテリー５０からアクチュエータユニット５４の動力源への駆動電力の供給が開始され、アクチュエータユニット５４からシャフト５６が図中下方（−Ｙ方向）に繰り出される。
【００２８】
なお、本実施形態では、スイッチ５２は、押しボタン型のスイッチであるが、本発明はこれに限定されない。例えば、スライドスイッチ等であってもよい。
【００２９】
シャフト５６の下端部には、ラック部５８が取り付けられている。ラック部５８は、板状又は棒状（例えば、角柱状等）の部材であり、その表面５８Ａには歯切りが施されている。ラック部５８は、例えば、金属製又は樹脂製等である。
【００３０】
回転接片（カム）６０は、第１アーム部材１２に取り付けられた軸６２の周りに回動可能に取り付けられている。回転接片６０は、例えば、金属製又は樹脂製等である。
【００３１】
回転接片６０は、軸６２を中心とする略円柱面状の領域（ピニオン部）６０Ａと、凸部６０Ｂを含んでおり、全体として略オーバル形状（例えば、長円、楕円、卵形等）に形成されている。
【００３２】
ピニオン部６０Ａには歯切りが施されており、略円形の歯車となっている。回転接片６０のピニオン部６０Ａに形成された歯は、ラック部５８の表面５８Ａに形成された歯と噛合する。
【００３３】
凸部６０Ｂは、ピニオン部６０Ａよりも軸６２から離れた曲面を有する。回転接片６０は、図１に示す初期位置において、凸部６０Ｂが図中下方（−Ｙ方向）に向くように取り付けられる。楽器受け部２６の裏面側には、固定接片２６Ｃが＋Ｘ方向に突出している。回転接片６０及び固定接片２６Ｃは、そのＸ方向の位置が略同じになるように配置されており、回転接片６０が回転したときにその凸部６０Ｂが固定接片２６Ｃに当接するように配置されている。
【００３４】
スイッチ５２がオンになり、ラック部５８が図中下方（−Ｙ方向）に移動すると、回転接片６０が図中の時計回り方向に回転する。回転接片６０の回転に伴い、凸部６０Ｂが固定接片２６Ｃに当接し、楽器受け部２６が図中左側（＋Ｚ方向）に押し出される。これにより、図３に示すように、弦楽器のネックＧが楽器受け部２６の受け面２６Ａと第２アーム部材１４の受け面１４Ａとの間に挟持されて固定される。
【００３５】
ここで、アクチュエータユニット５４がラック部５８を所定量移動させた後に、スイッチ５２が自動的にオフになるようにしてもよい。また、解除レバー２０の操作に連動してスイッチ５２が自動的にオフになるようにしてもよい。ラック部５８の移動量は、例えば、回転接片６０の回転角度、又は楽器受け部２６が弦楽器のネックＧを押し付ける力によって決定される。楽器受け部２６が弦楽器のネックＧを押し付ける力は、例えば、アクチュエータユニット５４等を介してアクチュエータユニット５４の動力源にかかる負荷に基づいて求めることが可能である。
【００３６】
なお、凸部６０Ｂは、図中上向きに取り付けられていてもよい。この場合、弦楽器のネックＧを固定するときには、ラック部５８を＋Ｙ方向に移動すればよい。
【００３７】
また、図１から図３に示す例では、回転接片６０及び固定接片２６Ｃは、スイッチ５２よりも＋Ｘ側に配置されているが、本発明はこれに限定されない。回転接片６０及び固定接片２６Ｃは、スイッチ５２よりも−Ｘ側に配置されていてもよいし、複数組（例えば、スイッチ５２の±Ｘ側に一対）配置されていてもよい。回転接片６０及び固定接片２６Ｃを複数組設ける場合には、ラック部５８のＸ方向の幅を拡大することにより、１つのアクチュエータユニット５４で複数の回転接片６０を同時に回転させることが可能になる。
【００３８】
（アクチュエータユニットの第１の例）
次に、アクチュエータユニットの第１の例について、図４を参照して説明する。図４は、アクチュエータユニットの第１の例を示すブロック図である。
【００３９】
図４に示すように、アクチュエータユニット５４は、動力源としてのモーター６４と、電動アクチュエータ６６とを含んでいる。
【００４０】
モーター６４は、例えば、電動モーターであり、バッテリー５０から供給される電力により動作する。なお、モーター６４は、一方向のみに回転可能であってもよいし、双方向に回転可能であってもよい。
【００４１】
電動アクチュエータ６６は、モーター６４による回転運動を（往復）直線運動に変換して、シャフト５６を図中上下方向（±Ｙ方向）に移動させる。電動アクチュエータ６６は、例えば、シリンダーと、シリンダー内に摺動可能に配置されたピストンを備え、モーター６４による回転運動を、ピストンに取り付けられたコネクティングロッドを介して、（往復）直線運動に変換する。
【００４２】
第１の例では、モーター６４の回転駆動力を利用してシャフト５６を図２中下方（−Ｙ方向）に押し下げる。すると、シャフト５６によりラック部５８が押し下げられて回転接片６０が回転する。これにより、弦楽器のネックＧをカポタスト１０に確実に固定することが可能になる。
【００４３】
図４に示す例では、モーター６４は、（Ａ）回転接片６０を所定角度回転させるために必要なだけシャフト５６を繰り出した段階で停止するようにしてもよい。ここで、シャフト５６の繰り出し量は、モーター６４の回転角又は回転数から求めることができる。なお、所定角度とは、例えば、凸部６０Ｂの先端部（回転接片６０の外周部の軸６２から最も遠い点）が固定接片２６Ｃに接触するとき、すなわち、回転接片６０が最も＋Ｚ側になるときの角度である。図１から図３に示す例では、所定角度は約９０°である。
【００４４】
また、モーター６４は、（Ｂ）アクチュエータユニット５４を介してモーター６４にかかる負荷が閾値以上になった場合、すなわち、楽器受け部２６の受け面２６Ａが弦楽器のネックＧを第２アーム部材１４の受け面１４Ａに押し付ける力が閾値以上になった場合に停止するようにしてもよい。
【００４５】
また、モーター６４としてブレーキ付きモーターを用いて、上記の（Ａ）又は（Ｂ）の条件を満たした場合に、ブレーキにより停止するようにしてもよい。
【００４６】
なお、本実施形態では、ラックアンドピニオン機構を用いて回転接片６０を回転させるようにしたが、本発明はこれに限定されない。例えば、ウォームギアを用いて、回転接片６０を回転させるようにしてもよい。この場合、回転接片６０に歯車（ウォーム）を形成し、シャフト５６の表面に斜歯歯車（ウォームホイール）を形成して相互に噛合させる。そして、モーター６４により、シャフト５６を回転可能とする。この場合、モーターを回転（正転又は反転）させることにより、回転接片６０を軸６２の周りに回転させて、図１の開状態と図３の固定状態とを切り替えることが可能になる。
【００４７】
なお、ウォームとウォームホイールからなるウォームギアは、セルフロック機構（自動締まり）を備えているため、モーター６４としてブレーキを有しないものを用いることができる。
【００４８】
なお、弦楽器のネックＧからカポタスト１０を取り外す場合、又は別の弦楽器にカポタスト１０を取り付ける場合には、回転接片６０を初期位置に戻すことになる。この場合、シャフト５６を図中上方（＋Ｙ方向）に移動させるために、モーター６４をさらに回転させるか、又はネックＧを固定したときとは逆方向に回転させればよい。
【００４９】
図４に示す例によれば、アクチュエータユニット５４を介して回転接片６０を回転させることにより、動力源であるモーター６４と、駆動力が作用する作用点である回転接片６０とを離して配置することができるので、カポタスト１０内におけるモーター６４等の配置の自由度を高めることができる。なお、アクチュエータユニット５４を設けずに、回転接片６０をモーター６４により直接回転させることも可能である。
【００５０】
（アクチュエータユニットの第２の例）
次に、アクチュエータユニットの第２の例について、図５を参照して説明する。図５は、アクチュエータユニットの第２の例を示すブロック図である。
【００５１】
図５に示すように、アクチュエータユニット５４は、動力源としてのポンプ８０と、流体アクチュエータ８２とを含んでいる。
【００５２】
ポンプ８０は、流体アクチュエータ８２に流体（例えば、気体（空気等）、液体等）を供給する。流体アクチュエータ８２は、例えば、シリンダー等を含んでおり、シリンダー内に流体が供給されることにより発生する圧力による運動を（往復）直線運動に変換する。
【００５３】
第２の例では、ポンプ８０から供給される流体の圧力によりシャフト５６を図２中下方（−Ｙ方向）に押し下げる。すると、シャフト５６によりラック部５８が押し下げられて回転接片６０が回転する。これにより、弦楽器のネックＧをカポタスト１０に確実に固定することが可能になる。
【００５４】
なお、回転接片６０を初期位置に戻す場合、シリンダーの外部に流体を排出して、シャフト５６を図中上方（＋Ｙ方向）に移動させればよい。
【００５５】
図５に示す例によれば、アクチュエータユニット５４を介して回転接片６０を回転させることにより、動力源であるポンプ８０と、駆動力が作用する作用点である回転接片６０とを離して配置することができるので、カポタスト１０内におけるポンプ８０等の配置の自由度を高めることができる。
【００５６】
（弦楽器のネックをカポタストに固定する手順）
次に、弦楽器のネックＧをカポタスト１０に挟持する手順について説明する。
【００５７】
奏者が解除レバー２０を指等により図中の時計回りに引っ張ると、突起部２０Ａが回転止め溝１４Ｂから離れて、第２アーム部材１４の回動の規制が解除される。これにより、ねじりコイルばね１８の付勢力により、第２アーム部材１４が第１アーム部材１２から離れる方向に開いて、図１の開状態になる。奏者が解除レバー２０から指等を離すと、解除レバー２０がねじりコイルばね２４の付勢力により元の位置に戻り、突起部２０Ａが回転止め溝１４Ｂと再び係合する。これにより、第１アーム部材１２及び第２アーム部材１４の相対位置（角度）が開状態で維持される。
【００５８】
次に、図１に示すように、奏者が、開状態のカポタスト１０の第１アーム部材１２をネックＧの表面Ｇ１にあてがって、第２アーム部材１４を閉じる。このとき、突起部２０Ａ及び回転止め溝１４Ｂからなるラチェット機構により開方向への回転が規制されつつ、閉方向の回転は許容されているので、第２アーム部材１４を段階的に閉じることができる。これにより、図２の閉状態になる。
【００５９】
図２の閉状態になることにより、ネックＧの表面Ｇ１が楽器受け部２６の受け面２６Ａに当接し、楽器受け部２６が図中右側（−Ｚ方向）に移動すると、楽器受け部２６の裏面の突起部２６Ｂによりスイッチ５２が押される。これにより、バッテリー５０からアクチュエータユニット５４の動力源への給電が開始され、アクチュエータユニット５４のシャフト５６に取り付けられたラック部５８が図中下方（−Ｙ方向）に移動する。そして、図３に示すように、ラック部５８の移動に伴って回転接片６０が図中の時計回りに回転し、その凸部６０Ｂが楽器受け部２６の固定接片２６Ｃに接触して、楽器受け部２６が図中左側（＋Ｚ方向）に押し出される。これにより、弦楽器のネックＧが楽器受け部２６の受け面２６Ａと第２アーム部材１４の受け面１４Ａとの間に挟持されて固定される。
【００６０】
本実施形態によれば、第１アーム部材１２と第２アーム部材１４の相対位置を固定した後に、回転接片６０を用いて、弦楽器のネックＧに楽器受け部２６を押し付けて挟持することができる。これにより、非力な奏者でも簡単かつ確実に、第１アーム部材１２及び第２アーム部材１４により弦楽器のネックＧを締め付けて固定することができる。
【００６１】
本実施形態では、第１アーム部材１２と第２アーム部材１４の相対位置を手動で固定した後に、弦を締め込むときにのみモーター６４等の動力を使用するようにしたので、カポタスト１０の動作時間を短縮することが可能になる。
【００６２】
［第２の実施形態］
次に、本発明の第２の実施形態について説明する。以下の説明では、第１の実施形態と同様の構成については、同一の符号を付して説明を省略する。
【００６３】
本実施形態では、楽器受け部２６を図中左右方向（±Ｚ方向）にスライドさせるスライド機構が第１の実施形態と異なる。図６及び図７は、本発明の第２の実施形態に係るカポタストにおける楽器受け部のスライド機構を示す平面図である。なお、図６及び図７は、それぞれ閉状態及び固定状態に対応している。
【００６４】
本実施形態に係るスライド機構１００は、リンク部材１０２、１０４、固定部１０６、スライダ１０８、アーム１１０Ａから１１０Ｄ及びガイドレール１１２を含んでいる。
【００６５】
アーム１１０Ａから１１０Ｄは、略同じ長さの棒状部材であり、スライド機構１００は、略菱形である。
【００６６】
固定部１０６は、シャフト５６の下端部に固定されている。固定部１０６には、アーム１１０Ｂ及び１１０Ｄが回動可能に取り付けられている。
【００６７】
スライダ１０８には、シャフト５６が貫通しており、スライダ１０８は、シャフト５６に対してスライド可能となっている。スライダ１０８には、アーム１１０Ａ及び１１０Ｃが回動可能に取り付けられている。
【００６８】
リンク部材１０２には、アーム１１０Ａ及び１１０Ｂが回動可能に取り付けられており、リンク部材１０４には、アーム１１０Ｃ及び１１０Ｄが回動可能に取り付けられている。リンク部材１０２及び１０４は、図中左右方向（±Ｚ方向）にスライドしたときに、リンク部材１０２が楽器受け部２６の固定接片２６Ｃと接触するように、ＸＹ方向の位置が調整されている。
【００６９】
ガイドレール１１２は、例えば、断面Ｃ字状のレール部材である。ガイドレール１１２は、図中上下方向（±Ｙ方向）の位置が固定されており、図中左右方向（±Ｚ方向）にスライド可能に保持されている。ガイドレール１１２の先端は、リンク部材１０２に固定されている。ガイドレール１１２は、リンク部材１０４に形成された凸部１１４に摺動可能に係合している。ガイドレール１１２によりリンク部材１０２及び１０４のＹ方向の位置が規制される。
【００７０】
図６に示すように、スライド機構１００では、突起部２６Ｂによりスイッチ５２がオンになると、アクチュエータユニット５４によりシャフト５６が図中上方（＋Ｙ方向）に引き戻される。すると、図７に示すように、リンク部材１０２が図中左側（＋Ｚ方向）に移動して楽器受け部２６の固定接片２６Ｃが押し出される。これにより、弦楽器のネックＧが楽器受け部２６の受け面２６Ａと第２アーム部材１４の受け面１４Ａとの間に挟持されて固定される。
【００７１】
本実施形態に係るスライド機構１００を用いる場合にも、弦楽器のネックＧに楽器受け部２６を押し付けることができる。これにより、非力な奏者でも簡単かつ確実に、弦楽器のネックＧにカポタスト１０を固定することができる。
【００７２】
（第１の変形例）
図８及び図９は、楽器受け部のスライド機構の第１の変形例を示す平面図である。なお、図８及び図９は、それぞれ閉状態及び固定状態に対応している。
【００７３】
第１の変形例に係るスライド機構１００Ａは、スライド機構１００から、リンク部材１０４、アーム１１０Ｃ及び１１０Ｄを省略したものである。
【００７４】
図８に示すように、第１の変形例に係るスライド機構１００Ａでは、突起部２６Ｂによりスイッチ５２がオンになると、アクチュエータユニット５４によりシャフト５６が図中上方（＋Ｙ方向）に引き戻される。すると、図９に示すように、リンク部材１０２が図中左側（＋Ｚ方向）に移動して楽器受け部２６の固定接片２６Ｃが押し出される。これにより、弦楽器のネックＧが楽器受け部２６の受け面２６Ａと第２アーム部材１４の受け面１４Ａとの間に挟持されて固定される。
【００７５】
（第２の変形例）
図１０及び図１１は、楽器受け部のスライド機構の第２の変形例を示す平面図である。なお、図１０及び図１１は、それぞれ閉状態及び固定状態に対応している。
【００７６】
第２の変形例に係るスライド機構１００Ｂは、スライド機構１００から、リンク部材１０４、アーム１１０Ｂ、１１０Ｃ及び１１０Ｄを省略し、スライダ１０８に代えてリンク部材１１６を設けたものである。
【００７７】
リンク部材１１６は、アクチュエータユニット５４のシャフト５６の下端部に固定されており、アーム１１０Ａが回動可能に取り付けられている。
【００７８】
図１０に示すように、第２の変形例に係るスライド機構１００Ｂでは、突起部２６Ｂによりスイッチ５２がオンになると、アクチュエータユニット５４によりシャフト５６が図中下方（−Ｙ方向）に繰り出される。すると、図１１に示すように、アーム１１０Ａによりリンク部材１０２が図中左側（＋Ｚ方向）に移動して楽器受け部２６の固定接片２６Ｃが押し出される。これにより、弦楽器のネックＧが楽器受け部２６の受け面２６Ａと第２アーム部材１４の受け面１４Ａとの間に挟持されて固定される。
【００７９】
なお、スライド機構１００、１００Ａ及び１００Ｂでは、リンク部材１０２は、スイッチ５２の＋Ｘ側に配置されているが、本発明はこれに限定されない。リンク部材１０２は、スイッチ５２よりも−Ｘ側に配置されていてもよいし、複数（例えば、スイッチ５２の±Ｘ側に一対）配置されていてもよい。
【００８０】
また、アクチュエータユニット５４のシャフト５６の往復直線運動を、楽器受け部２６のスライド方向の運動に変換するためのリンク機構は、スライド機構１００、１００Ａ及び１００Ｂに限定されるものではない。
【００８１】
［第３の実施形態］
次に、本発明の第３の実施形態について説明する。以下の説明では、第１の実施形態と同様の構成については、同一の符号を付して説明を省略する。
【００８２】
本実施形態では、楽器受け部２６を図中左右方向（±Ｚ方向）にスライドさせるスライド機構が第１及び第２の実施形態と異なる。
【００８３】
図１２及び図１３は、本発明の第３の実施形態に係るカポタストにおける楽器受け部のスライド機構を示す平面図（一部断面図）である。なお、図１２及び図１３は、それぞれ閉状態及び固定状態に対応している。
【００８４】
本実施形態に係るスライド機構１００Ｃは、押出部材１５０を含んでいる。押出部材１５０は、アクチュエータユニット５４のシャフト５６の下端部に固定されている。
【００８５】
押出部材１５０は、Ｘ方向に延びる略角柱状の部材であり、＋Ｚ側の面（以下、スロープ１５０Ａという。）は、ＹＺ平面において傾きが正になるように形成されている。スロープ１５０Ａには、−Ｚ側から順に、第１係合穴１５２及び第２係合穴１５４が形成されている。第１係合穴１５２及び第２係合穴１５４は、押出部材１５０の移動に伴って、楽器受け部２６の裏面側に突出する係合部２６Ｄと係合可能となっている。
【００８６】
図１２に示すように、初期状態では、楽器受け部２６の係合部２６Ｄは、第１係合穴１５２と係合している。図１２に示すように、突起部２６Ｂによりスイッチ５２がオンになると、アクチュエータユニット５４によりシャフト５６が図中下方（−Ｙ方向）に繰り出される。すると、図１３に示すように、押出部材１５０が図中下方（−Ｙ方向）に移動し、係合部２６Ｄが第２係合穴１５４と係合することにより、楽器受け部２６が図中左側（＋Ｚ方向）に押し出される。これにより、弦楽器のネックＧが楽器受け部２６の受け面２６Ａと第２アーム部材１４の受け面１４Ａとの間に挟持されて固定される。
【００８７】
なお、本実施形態では、押出部材１５０に２つの係合穴（第１係合穴１５２及び第２係合穴１５４）を設けたが、係合穴の個数は３つ以上であってもよい。また、係合穴を設けないことも可能である。
【００８８】
また、本実施形態では、シャフト５６の表面に雄ネジを、押出部材１５０に雌ネジを形成し、アクチュエータユニット５４に代えて、シャフト５６を回転させるためのモーターを設けてもよい。この場合、モーターによりシャフト５６を回転（正転又は反転）させることにより、押出部材１５０を±Ｙ方向に沿って往復直線運動させることが可能になる。
【００８９】
また、スライド機構１００Ｃでは、係合部２６Ｄ、第１係合穴１５２及び第２係合穴１５４は、スイッチ５２の＋Ｘ側に配置されているが、本発明はこれに限定されない。係合部２６Ｄ、第１係合穴１５２及び第２係合穴１５４は、スイッチ５２よりも−Ｘ側に配置されていてもよいし、複数（例えば、スイッチ５２の±Ｘ側に一対）配置されていてもよい。
【００９０】
また、押出部材１５０のスロープ１５０Ａは、ＹＺ平面において傾きが負になるように形成されていてもよい。この場合、突起部２６Ｂによりスイッチ５２がオンになったときに、アクチュエータユニット５４によりシャフト５６が図中上方（＋Ｙ方向）に引き戻されるようにすればよい。
【００９１】
また、第２及び第３の実施形態では、楽器受け部２６のスライド方向は、アクチュエータユニット５４のシャフト５６の往復直線運動の方向と略直交するようにしたが、本発明はこれに限定されない。楽器受け部２６のスライド方向と、アクチュエータユニット５４のシャフト５６の往復直線運動の方向とは平行であってもよい。
【００９２】
また、アクチュエータユニット５４は、上記の各実施形態のシャフト５６を往復直線運動させる機構に限定されない。例えば、圧電素子等を用いて楽器受け部２６をスライドさせるようにしてもよいし、回転接片６０を回転させるようにしてもよい。
【００９３】
［第４の実施形態］
次に、本発明の第４の実施形態について説明する。以下の説明では、第１から第３の実施形態と同様の構成については、同一の符号を付して説明を省略する。
【００９４】
本実施形態では、楽器受け部２６を図中左右方向（±Ｚ方向）にスライドさせるスライド機構が第１から第３の実施形態と異なる。
【００９５】
図１４は、本発明の第４の実施形態に係るカポタストを示す側面図である（開状態）。図１４に示すように、本実施形態に係るスライド機構は、アクチュエータユニット５４に代えて、ポンプ９０及び袋体９２を含んでいる。
【００９６】
ポンプ９０は、スイッチ５２がオンになると、袋体９２の内部に流体（例えば、気体（空気等）、液体等）を供給する。
【００９７】
袋体９２は、例えば、可撓性を有する袋状の部材であり、第１アーム部材１２の内部に取り付けられている。袋体９２は、内部に流体が供給されると図中左側（＋Ｚ方向）に拡張する。これにより、楽器受け部２６が図中左側（＋Ｚ方向）に押し出され、弦楽器のネックＧが固定される。
【００９８】
なお、袋体９２は、Ｚ方向に拡縮し、かつ、ＸＹ方向に拡縮しないように蛇腹形状に形成されていてもよい。この場合、袋体９２は、可撓性を有しないものであってもよい。また、袋体９２は、楽器受け部２６の裏面に沿う形状（例えば、スイッチ５２を包囲するＯ字状）に形成されていてもよいし、複数の袋体９２に分割されていてもよい。
【００９９】
袋体９２には、内部の流体を外部に排出するためのバルブ（不図示）が設けられている。解除レバー２０が操作された場合、袋体９２のバルブが開放され、内部の流体が外部に排出される。これにより、カポタスト１０をネックＧから容易に取り外すことが可能になる。
【０１００】
なお、上記の各実施形態では、第１アーム部材１２に対して第２アーム部材１４を回動可能に取り付けた例について説明したが、本発明はこれに限定されない。上記の各実施形態に係る楽器受け部２６を備える締付機構は、例えば、第１アーム部材と第２アーム部材とをリードスクリュー（送りねじ）により接続し、モーター等の電動駆動機構を用いてリードスクリューを駆動することにより、相互に平行移動させてネックを挟持するカポタストにも適用可能である。この場合、リードスクリューが、第１アーム部材に対して第２アーム部材が開く開方向の移動を規制した状態と、移動を許容した状態とを選択的に切り替える切替手段として機能する。
【０１０１】
また、上記の各実施形態では、スイッチ５２を第１アーム部材１２に設けたが、第２アーム部材１４に設けてもよい。また、上記の各実施形態では、楽器受け部２６を第１アーム部材１２に設けたが、第２アーム部材１４に設けてもよいし、第１アーム部材１２及び第２アーム部材１４の両方に設けてもよい。
【符号の説明】
【０１０２】
１０…カポタスト、１２…第１アーム部材、１４…第２アーム部材、１４Ａ…受け面、１４Ｂ…回転止め溝、１６…軸、１８…ねじりコイルばね、２０…解除レバー、２０Ａ…突起部、２２…軸、２４…ねじりコイルばね、２６…楽器受け部、２６Ａ…受け面、２６Ｂ…突起部、２６Ｃ…固定接片、２６Ｄ…係合部、５０…バッテリー、５２…スイッチ、５４、５４Ａ…アクチュエータユニット、５６…シャフト、５８…ラック部、６０…回転接片、６２…軸、６４…モーター、６６…電動アクチュエータ、８０…ポンプ、８２…流体アクチュエータ、９０…ポンプ、９２…袋体、１００、１００Ａ、１００Ｂ…スライド機構、１０２、１０４…リンク部材、１０６…固定部、１０８…スライダ、１１０Ａ〜１１０Ｄ…アーム、１１２…ガイドレール、１１４…凸部、１１６…リンク部材、１５０…押出部材
【図１】
2020190598.tif 000003
【図２】
2020190598.tif 000004
【図３】
2020190598.tif 000005
【図４】
2020190598.tif 000006
【図５】
2020190598.tif 000007
【図６】
2020190598.tif 000008
【図７】
2020190598.tif 000009
【図８】
2020190598.tif 000010
【図９】
2020190598.tif 000011
【図１０】
2020190598.tif 000012
【図１１】
2020190598.tif 000013
【図１２】
2020190598.tif 000014
【図１３】
2020190598.tif 000015
【図１４】
2020190598.tif 000016